(57)【要約】      （修正有）【課題】１以上の孔部が形成された音源部材の振動に基づく音響の放射をより適切に実現する音響放射装置を提供する。【解決手段】音響放射装置３０が、外部からの物理的作用に基づいて振動する、１以上の孔部が形成された音源部材１０と、音源部材１０に装着される１以上の音響放射部材２０とを備える。音響放射部材２０が音源部材１０の振動に基づいて振動することにより、音響放射部材２０から音が放射される。音響放射部材２０は、不織布により構成される本体部と、粘着力を有する部材により構成される粘着層とを含む。【選択図】図３
2015075608.tif 000002
【特許請求の範囲】
【請求項１】
外部からの物理的作用に基づいて振動する、１以上の孔部が形成された音源部材と、
前記音源部材に装着される１以上の音響放射部材とを備え、
前記音響放射部材が前記音源部材の振動に基づいて振動することにより、当該音響放射部材から音が放射される
音響放射装置。
【請求項２】
前記音源部材は、打撃されて振動する部材であり、
前記音響放射部材は、前記音源部材に着脱可能なシート状の部材である
請求項１の音響放射装置。
【請求項３】
前記音響放射部材は、粘着層を備え、
前記粘着層を介して前記音響放射部材と前記音源部材とが互いに密着する
請求項２の音響放射装置。
【請求項４】
前記音源部材が第１取付手段を有し、
前記音響放射部材が第２取付手段を有し、
前記第１取付手段と前記第２取付手段とが嵌まり合うことにより、前記音響放射部材が前記音源部材に装着される
請求項２の音響放射装置。
【請求項５】
複数の前記音響放射部材が、前記音源部材に装着される
請求項１から請求項４のいずれかの音響放射装置。
【発明の詳細な説明】
【技術分野】
【０００１】
本発明は、音響放射装置に関する。
【背景技術】
【０００２】
従来より、外部からの物理的作用（例えば、打撃）を受けて振動することにより音を発生する音源部材（例えば、体鳴楽器）が知られている。また、騒音の許容レベルが低い環境において以上の音源部材を使用するために、振動時に発生する音の大きさを低減させる技術（弱音化技術）が提案されている。例えば、特許文献１には、金属製の体鳴楽器の一種であるシンバルに形成された多数の小孔（孔部）により、外部からの打撃エネルギーを吸収して音を抑制する弱音化技術が提案されている。
【先行技術文献】
【特許文献】
【０００３】
【特許文献１】特開平１１−１８４４５９号公報
【発明の概要】
【発明が解決しようとする課題】
【０００４】
特許文献１には、さらに、多数の孔部が形成された音源部材（シンバル）の振動を、振動ピックアップを用いて検出して電気的に増幅することにより、音を増大させる技術が開示されている。しかしながら、以上の技術においては、処理回路（拡声装置）を介して増大された音がスピーカから放射されるに過ぎず、音源部材から放射される音は依然として弱音化されたままである。また、電気的な処理を必要とするので、実現するための技術的構成が複雑である上、電力の供給が必須とならざるを得ない。
【０００５】
以上の事情を考慮して、本発明は、孔部が形成された音源部材の振動に基づく音の放射をより適切に実現することを目的とする。
【課題を解決するための手段】
【０００６】
本発明の音響放射装置は、外部からの物理的作用に基づいて振動する、１以上の孔部が形成された音源部材と、前記音源部材に装着される１以上の音響放射部材とを備える。前記音響放射部材が前記音源部材の振動に基づいて振動することにより、当該音響放射部材から音が放射される。
【０００７】
本発明の音響放射装置において、「孔部」の形状および構成は任意である。例えば、平板状の部材に形成された貫通孔が「孔部」に相当する他、網状の部材に存在する線材間の間隙も「孔部」に相当する。
【０００８】
以上の構成によれば、孔部が形成された（すなわち、弱音化された）音源部材に音響放射部材を装着させることにより、音源部材への物理的作用に基づいて音響放射部材（音響放射装置）から音を放射させることが可能である。
【０００９】
本発明の好適な態様において、前記音源部材は、打撃されて振動する部材であり、前記音響放射部材は、前記音源部材に着脱可能なシート状の部材である。
以上の構成によれば、音源部材への音響放射部材の着脱により、音響放射装置から放射される音の大きさを調整することが可能である。
【００１０】
本発明の好適な態様において、前記音響放射部材は、粘着層を備え、前記粘着層を介して前記音響放射部材と前記音源部材とが互いに密着する。
以上の構成によれば、音響放射部材と音源部材とが互いに密着するので、音源部材の振動を音響放射部材に効率的に伝達することが可能である。
【００１１】
本発明の好適な態様において、前記音源部材が第１取付手段を有し、前記音響放射部材が第２取付手段を有し、前記第１取付手段と前記第２取付手段とが嵌まり合うことにより、前記音響放射部材が前記音源部材に装着される。
以上の構成によれば、音響放射部材を音源部材に簡易に装着することが可能である。
【００１２】
本発明の好適な態様において、前記音響放射部材が磁性部を有し、前記磁性部が有する磁力により、前記音響放射部材が前記音源部材に装着される。
以上の構成によれば、音響放射部材を音源部材に簡易に装着することが可能である。
【００１３】
本発明の好適な態様において、前記音源部材に第１取付孔が形成され、前記音響放射部材に第２取付孔が形成され、前記第１取付孔と前記第２取付孔とを貫通する取付手段により、前記音響放射部材が前記音源部材に装着される。
以上の構成によれば、音響放射部材を音源部材に簡易に装着することが可能である。また、音響放射部材および音源部材に予め何らかの部材を取り付けなくてよいという利点がある。
【００１４】
本発明の好適な態様において、複数の前記音響放射部材が前記音源部材に装着される。
【００１５】
本発明の音響放射部材は、外部からの物理的作用に基づいて振動する、１以上の孔部が形成された音源部材に装着され、前記音源部材の振動に基づいて振動することにより音を放射する。
【００１６】
本発明の音源部材は、外部からの物理的作用に基づいて振動する、１以上の孔部が形成された本体部と、前記本体部の振動に基づいて振動することにより音を放射する音響放射部材が取り付けられる取付部とを備える。
【００１７】
本発明の音響放射方法は、１以上の孔部が形成された音源部材に１以上の音響放射部材を装着すること、外部から物理的作用を付与することにより前記音源部材を振動させること、および前記音源部材の振動によって前記音響放射部材が振動させられ音を放射することを含む。
【図面の簡単な説明】
【００１８】
【図１】第１実施形態に係る音源部材を示す図である。
【図２】第１実施形態に係るシート状の音響放射部材を示す図である。
【図３】音源部材に音響放射部材が着脱される様子を示す図である。
【図４】音響放射部材が装着された音源部材を示す図である。
【図５】音源部材への打撃により発生した音圧レベルを示す図である。
【図６】相対音圧レベル（音響放射部材無し）の時間的推移を示す図である。
【図７】相対音圧レベル（第１サイズ）の時間的推移を示す図である。
【図８】相対音圧レベル（第２サイズ）の時間的推移を示す図である。
【図９】相対音圧レベル（第３サイズ）の時間的推移を示す図である。
【図１０】相対音圧レベルの周波数領域の波形（周波数スペクトル）を示す図である。
【図１１】図１０の低周波数領域を拡大した図である。
【図１２】第２実施形態に係る体鳴楽器であるシンバルを示す図である。
【図１３】カップ部に音響放射部材が装着されたシンバルを示す図である。
【図１４】エッジ部に音響放射部材が装着されたシンバルを示す図である。
【図１５】相対音圧レベルの周波数領域の波形（周波数スペクトル）を示す図である。
【図１６】４枚の音響放射部材が装着された音源部材を示す図である。
【図１７】相対音圧レベルの周波数領域の波形（周波数スペクトル）を示す図である。
【図１８】相対音圧レベルの周波数領域の波形（周波数スペクトル）を示す図である。
【図１９】低周波数の音波に対応する振動モードを示す図である。
【図２０】高周波数の音波に対応する振動モードを示す図である。
【図２１】第４実施形態のスナップボタンによる装着の様子を示す図である。
【図２２】第４実施形態のマグネットシートによる装着の様子を示す図である。
【図２３】第４実施形態のリベットによる装着の様子を示す図である。
【図２４】第４実施形態のリベットによる装着の様子を示す図である。
【発明を実施するための形態】
【００１９】
１．  第１実施形態
図１は、本発明の第１実施形態に係る音源部材１０を示す図である。音源部材１０は、円盤状の金属板により構成される。音源部材１０の中心部には、音源部材１０を把持するためのストラップや音源部材１０を支持するためのスタンド等の部材を取付可能な設置孔ＩＨが形成される。音源部材１０には円状の孔部Ｈが多数形成される。孔部Ｈの形状は任意である。例えば、図１に示されるような円状の孔部Ｈの他、楕円状の孔部Ｈまたは多角形状の孔部Ｈが採用され得る。
【００２０】
音源部材１０は、外部からの物理的作用に基づいて振動する。例えば、打奏用のスティックにより打撃されて（加振されて）音源部材１０の振動が励起され、所定期間にわたり振動状態が維持される。以上の振動により音源部材１０から放射される音の大きさは、多数の孔部Ｈが形成されていない音源部材が同じ力の打撃によって振動する際に放射される音の大きさと比較して小さい。換言すると、本実施形態の音源部材１０の音圧放射効率は、多数の孔部Ｈが形成されていない音源部材の音圧放射効率よりも低い。ここで、「音圧放射効率」とは、打撃の度合い（打撃対象への衝突速度）に対する音圧（音の大きさ）の比を意味する。
【００２１】
以上の現象に関して、音源部材１０が有する音を放射させるための表面積（音圧放射面積）が、孔部Ｈが形成されていない音源部材の音圧放射面積よりも小さいことが、少なくとも一因であると理解される。
【００２２】
図２は、本発明の第１実施形態に係るシート状の音響放射部材２０を示す図である。音響放射部材２０は、不織布により構成される本体部Ｂと、粘着力を有する部材により構成される粘着層Ａとを含む。音響放射部材２０の剛性は、音源部材１０の剛性よりも低い。一方で、孔部Ｈが形成されていない音響放射部材２０の音圧放射効率は、多数の孔部Ｈが形成された音源部材１０の音圧放射効率よりも高い。
【００２３】
図３に示すように、音響放射部材２０は粘着層Ａを介して音源部材１０に着脱可能に装着される。両矢印の左側が離脱状態を示し、両矢印の右側が装着状態を示す。以上の装着状態においては、粘着層Ａを介して音響放射部材２０と音源部材１０とが互いに密着し、音源部材１０に形成された複数の孔部Ｈの一部が塞がれる。以下、音源部材１０に装着された音響放射部材２０と音源部材１０とを併せて、音響放射装置３０と称呼する場合がある。
【００２４】
音響放射装置３０においては、音響放射部材２０が音源部材１０の振動に基づいて振動することにより、打撃された位置に関わらず、音響放射部材２０から特異的に（局所的に）音が放射される。音響放射部材２０が装着された箇所の音圧放射効率が、それ以外の箇所の音圧放射効率よりも高いからである。換言すると、音響放射装置３０は、音響放射装置３０全体が振動すると音響放射部材２０から音が特異的に（局所的に）放射されるという放射特異性（放射指向性）を有する。
【００２５】
１−１．  実施例１
第１実施形態についての１つの実施例（実施例１）を以下に説明する。実施例１では、音響放射部材２０のサイズによって音響放射装置３０から放射される音の大きさ（音圧）がどのように変化するかについての実験が行われた。実施例１の実験では、以下に示す音源部材１０および音響放射部材２０が使用された。
音源部材１０：直径300mm，厚さ1mmの円盤状ステンレス平板
音響放射部材２０：厚さ0.17mmの不織布シート
【００２６】
音源部材１０に形成された円状の各孔部Ｈの直径は2mmであった。音源部材１０の開口率（全ての孔部Ｈが占める表面積／孔部Ｈが存在しない場合の音源部材１０の表面積）は40％であった。第１サイズ（30mm×30mm）、第２サイズ（50mm×50mm）、および第３サイズ（70mm×70mm）を含む複数サイズの音響放射部材２０が用いられた。
【００２７】
図４に示すように、音響放射部材２０は、音響放射部材２０の中心が音源部材１０の半径ｒ１の中点に一致するように装着された。図４では１つのサイズの音響放射部材２０のみが示されているが、全てのサイズの音響放射部材２０が以上のように装着された。なお、図４では、描画の簡単のため、各孔部Ｈおよび設置孔ＩＨが省略されている。
【００２８】
本実施例の実験において、音響放射部材２０が装着された音源部材１０は、自然落下する木製スティックによって打撃された。打撃位置は、音源部材１０の中心である半径ｒ２の端点Ｐと円周上に位置する半径ｒ２の端点Ｑとを結ぶ線分ＰＱを２：１に内分する点であった。なお、半径ｒ２は、音響放射部材２０の中心を通過する半径ｒ１に直交する線分であった。以上の打撃位置は、図４において「×」で示されている。以上の打撃によって発生した音の大きさ（音圧）は、音響放射部材２０の直上30mmに設置されたマイクロフォンを利用して測定された。
【００２９】
図５に、音源部材１０への打撃により発生した音圧レベルを示す。図５において、各サイズの音響放射部材２０を用いた音響放射装置３０からの音圧レベルは、音響放射部材２０を装着しない音源部材１０から放射された音圧レベルを基準（0dB）とした相対音圧レベルとして示される。図示の通り、音響放射部材２０のサイズが大きい程、音響放射装置３０から放射される音圧レベルが大きくなった。
【００３０】
図６から図９に、相対音圧レベル（マイクロフォンからの出力電圧）の時間的推移を示す。図６は、音響放射部材２０を装着しない音源部材１０から放射された音圧レベルを示す。図７から図９は、それぞれ、第１サイズから第３サイズの音響放射部材２０が装着された音源部材１０から放射された音圧レベルを示す。図５と同様、図６から図９においても、音響放射部材２０のサイズが大きい程、音響放射装置３０から放射される音圧レベルが大きくなったことが明らかである。
【００３１】
図１０は、相対音圧レベルの時間波形をフーリエ変換して得られた周波数領域の波形（周波数スペクトル）を示す。図１１は、図１０の低周波数領域（0Hz〜1000Hz）を拡大した図である。第１サイズの音響放射部材２０が装着された音源部材１０からの相対音圧レベルの周波数スペクトル（実線）と、第３サイズの音響放射部材２０が装着された音源部材１０からの相対音圧レベルの周波数スペクトル（点線）とが、図１０および図１１に描かれている。
【００３２】
図１０および図１１に示されるように、第１サイズの音響放射部材２０を用いた場合の周波数ピークの位置と、第３サイズの音響放射部材２０を用いた場合の周波数ピークの位置とがそれぞれ一致した。一般的に、振動する音源部材からの音圧の周波数スペクトルに含まれる複数の周波数ピークは、それぞれ、その音源部材が有する複数の振動モードに対応する。したがって、異なるサイズの音響放射部材２０を装着しても音源部材１０（音響放射装置３０）の振動モードは変化しなかったことが、図１０および図１１から理解される。
【００３３】
以上のように、実施例１の実験においては、音響放射部材２０のサイズを変えることにより、音響放射部材２０が装着された音源部材１０（音響放射装置３０）から放射される音の大きさが変化した。一方で、音響放射部材２０の装着は、音源部材１０（音響放射装置３０）の振動特性（振動モード）に影響を与えなかった。
【００３４】
１−２．  本実施形態の効果
以上の本実施形態の構成によれば、多数の孔部Ｈが形成された（すなわち、弱音化された）音源部材１０に音響放射部材２０を装着させることにより、音源部材１０への打撃に基づいて音響放射部材２０（音響放射装置３０）から音を放射させることができる。音響放射部材２０の音圧放射効率は音源部材１０の音圧放射効率を上回るので、音源部材１０への打撃により音響放射部材２０から音が特異的に放射される。
【００３５】
また、本実施形態の音響放射部材２０は、音源部材１０よりも剛性が極めて低いため、音源部材１０へ装着しても、音源部材１０の振動の振る舞い（振動特性、振動モード）を変えること無く、音圧放射効率のみを変えることができる。
【００３６】
放射される音の大きさ（音圧レベル）は、音源部材１０に装着される音響放射部材２０のサイズが大きい程に大きくなる。したがって、音響放射部材２０のサイズを変えることで放射される音の大きさを変化させることができる。
【００３７】
２．  第２実施形態
本発明の第２実施形態を以下に説明する。以下に例示する各実施形態において、作用、機能が第１実施形態と同等である要素については、以上の説明で参照した符号を流用して各々の説明を適宜に省略する。
【００３８】
第１実施形態の音源部材１０は、体鳴楽器に応用することが可能である。第２実施形態では、第１実施形態の構成を体鳴楽器であるシンバルに応用する。図１２は、本発明の第２実施形態に係るシンバル１００を示す図である。シンバル１００は、カップ部１１０とボウ部１２０とエッジ部１３０とを有する。
【００３９】
カップ部１１０は、シンバル１００の中心部に位置する半球状（ドーム状）に突出した部位である。ボウ部１２０は、カップ部１１０を取り囲むように位置する笠状（シェード状）の部位である。エッジ部１３０は、ボウ部１２０を更に取り囲むように位置する環状の部位である。カップ部１１０の中心には、ストラップやスタンド等の部材を取付可能な設置孔ＩＨが形成される。描画の簡単のため図１２では省略されているが、シンバル１００には、第１実施形態と同様に円状の孔部Ｈが多数形成される。
【００４０】
２−１．  実施例２
第２実施形態についての１つの実施例（実施例２）を以下に説明する。実施例２では、音響放射部材２０の装着位置によって音響放射装置３０から放射される音の性質（振動特性）がどのように変化するかについての実験が行われた。実施例２の実験では、以下に示すシンバル１００および音響放射部材２０が使用された。
シンバル１００：直径300mm，厚さ1mmのシンバル
音響放射部材２０：厚さ0.17mmの不織布シート
【００４１】
各孔部Ｈの直径およびシンバル１００の開口率は実施例１と同様であった。30mm×30mmサイズ（実施例１の第１サイズに相当）の音響放射部材２０が用いられた。音響放射部材２０は、図１３および図１４に示されるように、カップ部１１０およびエッジ部１３０のいずれかに装着された。本実施例の実験における打撃位置も実施例１と同様であり、図１３および図１４において「×」で示されている。打撃により発生した音は、実施例１と同様に測定された。
【００４２】
図１５は、打撃により生じた相対音圧レベルの時間波形をフーリエ変換して得られた周波数領域の波形（周波数スペクトル）を示す。カップ部１１０に音響放射部材２０が装着されたシンバル１００からの相対音圧レベルの周波数スペクトル（実線）と、エッジ部１３０に音響放射部材２０が装着されたシンバル１００からの相対音圧レベルの周波数スペクトル（点線）とが描かれている。
【００４３】
図１５に示されるように、低周波数領域（0Hz〜1000Hz）においては、エッジ部１３０に音響放射部材２０が装着されたシンバル１００からの音（音圧）の方が、カップ部１１０に音響放射部材２０が装着されたシンバル１００からの音よりも大きかった。一方で、中〜高周波領域（1000Hz以上）において両者に目立った差異は観察されなかった。
【００４４】
以上のように、実施例２の実験においては、シンバル１００における音響放射部材２０の装着位置を変えることにより、放射される相対音圧レベルの周波数特性が変化した。
【００４５】
２−２．  本実施形態の効果
以上の本実施形態の構成によれば、シンバル１００（音源部材１０）における音響放射部材２０の装着位置を変化させることにより、シンバル１００（音源部材１０）の振動状態には実質的な変化を与えないにも関わらず、音響放射装置３０から放射される音圧レベルの周波数特性を変化させることが可能であり、ひいては、音響放射装置３０からの音の音色を変化させることが可能である。
【００４６】
３．  第３実施形態
第１実施形態および第２実施形態における音響放射部材２０は正方形状である。第３実施形態では、様々なタイプの音響放射部材２０が音源部材１０に装着される。例えば、長方形状の音響放射部材２０や、円状の音響放射部材２０、十字架状の音響放射部材２０が音源部材１０に装着され得る。
【００４７】
３−１．  実施例３
第３実施形態についての１つの実施例（実施例３）を以下に説明する。実施例３では、音響放射部材２０のタイプによって音響放射装置３０から放射される音響の性質（振動特性）がどのように変化するかについての実験が行われた。実施例３の実験では、以下に示す音源部材１０および音響放射部材２０が使用された。
音源部材１０：直径300mm，厚さ1mmの円盤状ステンレス平板
音響放射部材２０：厚さ0.17mmの不織布シート
【００４８】
各孔部Ｈの直径および音源部材１０の開口率は実施例１と同様であった。１枚の50mm×50mmサイズ（実施例１の第２サイズに相当）の音響放射部材２０と、４枚の25mm×25mmサイズの音響放射部材２０とが用いられた。当然ながら、１枚の50mm×50mmサイズの音響放射部材２０の総面積と４枚の25mm×25mmサイズの音響放射部材２０の総面積とは一致する。50mm×50mmサイズの音響放射部材２０は、実施例１（図４）と同様に音源部材１０に装着された。
【００４９】
一方、４枚の25mm×25mmサイズの音響放射部材２０は、図１６に示されるように、正方形状に並べられて音源部材１０に装着された。これらの音響放射部材２０は、互いに10mmずつ離隔するように配置された。さらに、４枚の音響放射部材２０が成す正方形の中心が音源部材１０の半径ｒ１の中点に一致するように配置された。
【００５０】
本実施例の実験における打撃位置も実施例１と同様であり、図４および図１６において「×」で示されている。打撃により発生した音は、実施例１と同様に測定された。
【００５１】
図１７および図１８は、打撃により生じた相対音圧レベルの時間波形をフーリエ変換して得られた周波数領域の波形（周波数スペクトル）を示す。４枚の25mm×25mmサイズの音響放射部材２０が装着された音源部材１０からの相対音圧レベルの周波数スペクトル（実線）と、１枚の50mm×50mmサイズの音響放射部材２０が装着された音源部材１０からの相対音圧レベルの周波数スペクトル（点線）とが、図１７および図１８に描かれている。
【００５２】
図１７は0Hzから500Hzの領域に対応し、図１８は500Hzから2000Hzの領域に対応する。図１７に示されるように、0Hzから80Hzまでの領域では、音響放射部材２０の枚数は放射された相対音圧レベルに影響を与えなかった。また、80Hzから500Hzまでの領域では、１枚の音響放射部材２０が装着された音源部材１０からの相対音圧レベルの方が、４枚の音響放射部材２０が装着された音源部材１０からの相対音圧レベルを僅かに（5dB程度）上回った。一方、500Hzから2000Hzまでの領域では、１枚の音響放射部材２０が装着された音源部材１０からの相対音圧レベルの方が、４枚の音響放射部材２０が装着された音源部材１０からの相対音圧レベルを大幅に（20dB程度）上回った。
【００５３】
以上のように、音響放射部材２０の総面積が同じであっても、音響放射部材２０のタイプ（１枚であるか、４枚に分割されているか）に応じて、相対音圧レベルの周波数特性が変化した。以上の現象は、以下のように理解できる。
【００５４】
一般的に、音源部材１０は、複数の振動モードにおいて同時に振動し、複数の周波数の音（音圧）を放射する。図１９は低周波数の音波に対応する振動モードを示し、図２０は高周波数の音波に対応する振動モードを示す。図１９および図２０において「＋」で示される領域（以下、「＋領域」）と「−」で示される領域（以下、「−領域」）とは、音源部材１０が振動する際、互いに反対方向に振動する。例えば、＋領域が音源部材１０の上面方向に振動する際には、−領域は音源部材１０の下面方向に振動する。
【００５５】
図１９および図２０では、実施例３のように、複数の音響放射部材２０が音源部材１０に装着される。低周波数の音圧を発生する図１９の振動モードにおいては、＋領域および−領域が細分化されていないため、複数の音響放射部材２０が同じ領域に位置する。結果として、各音響放射部材２０から放射される音波の位相が揃って強め合うため、放射される音圧レベルが大きくなる。
【００５６】
一方、高周波数の音圧を発生する図２０の振動モードにおいては、＋領域および−領域が細分化されているため、一部の音響放射部材２０が＋領域に位置する一方で、他の一部の音響放射部材２０が−領域に位置する。結果として、各音響放射部材２０から放射される音波の位相が相反して打ち消し合うため、放射される音圧レベルが小さくなる。
【００５７】
３−２．  本実施形態の効果
以上の本実施形態の構成によれば、様々なタイプ（形状、枚数等）の音響放射部材２０を装着することにより、音源部材１０（音響放射装置３０）から放射される音の大きさや音色（音圧レベルの周波数特性）を調整することが可能である。
【００５８】
４．  第４実施形態
以上の実施形態では、音響放射部材２０が、粘着層Ａを介して音源部材１０に装着される。第４実施形態では、音響放射部材２０が様々な手段で音源部材１０に装着される。
【００５９】
４−１．  スナップボタンによる装着
図２１に示されるように、本構成では、音源部材１０は凹状（雌）スナップボタンＳａ（第１取付手段）を有し、音響放射部材２０は凸状（雄）スナップボタンＳｂ（第２取付手段）を有する。図２１では、音源部材１０の一部が描かれており、孔部Ｈは省略されている。凹状スナップボタンＳａと凸状スナップボタンＳｂとが嵌まり合うことにより、音響放射部材２０が音源部材１０に装着される。
【００６０】
図２１のように、音響放射部材２０側の凸状スナップボタンＳｂよりも、音源部材１０側の凹状スナップボタンＳａの方が多く設けられてもよい。以上の構成によれば、音響放射部材２０が装着される位置を簡易に変化させることが可能である。
【００６１】
なお、以上の構成において、音源部材１０が凸状スナップボタンＳｂを有し、音響放射部材２０が凹状スナップボタンＳａを有してもよい。
【００６２】
４−２．  マグネットシートによる装着
図２２に示されるように、本構成では、音響放射部材２０がマグネットシートＭ（磁性部）を有する。本構成の音源部材１０は、磁性を有する金属（合金）により構成される。音響放射部材２０は、マグネットシートＭが有する磁力により、音源部材１０に装着される。
【００６３】
音響放射部材２０が有するマグネットシートＭの数が多い程、音源部材１０に対する音響放射部材２０の固定強度が高まる。なお、音源部材１０が磁性を有さない場合には、音源部材１０にもマグネットシートＭを貼付することで、音響放射部材２０と音源部材１０とを装着することが可能となる。
【００６４】
４−３．  リベットによる装着
図２３に示されるように、本構成では、音源部材１０には第１取付孔ＡＨ１が形成され、音響放射部材２０には第２取付孔ＡＨ２が形成される。音源部材１０においては、多数の孔部Ｈの一部として第１取付孔ＡＨ１が形成されてもよい。図２４に示されるように、音響放射部材２０は、第１取付孔ＡＨ１と第２取付孔ＡＨ２とを貫通するリベットＲ（取付手段）により、音源部材１０に装着される。
【００６５】
また、以上の分離型のリベットＲに代えて、頭部と脚部とを備えるプッシュリベットが採用されてもよい。プッシュリベットは、装着前から頭部と脚部とが組み合わされた部材であり、装着時の押込みにより頭部が脚部を押し広げることで貫通孔へ固定される。なお、プッシュリベットはプラスチック素材により構成されることが一般的である。
【００６６】
４−４．  本実施形態の効果
以上の構成によれば、容易に音響放射部材２０を音源部材１０に着脱できる。また、粘着層Ａが音源部材１０に密着しないので、粘着層Ａが有する損失付与効果が抑制される。結果として、音響放射装置３０から放射される音圧レベルが高く維持される。
【００６７】
リベットＲにより装着する構成においては、音源部材１０および音響放射部材２０には取付孔ＡＨ（第１取付孔ＡＨ１、第２取付孔ＡＨ２）を形成しておけばよく、予め何らかの部材を音源部材１０および音響放射部材２０に取り付けておかなくてよいという利点がある。さらに、プッシュリベットにより装着する構成においては、音源部材１０および音響放射部材２０の一方のみからプッシュリベットを取付孔ＡＨ（第１取付孔ＡＨ１、第２取付孔ＡＨ２）に挿入することで容易に固定可能であり、他方からの装着動作を不要にできるという利点がある。
【００６８】
５．  変形例
以上の実施の形態は多様に変形される。具体的な変形の態様を以下に例示する。以上の実施の形態および以下の例示から任意に選択された２以上の態様は、相互に矛盾しない限り適宜に併合され得る。
【００６９】
５−１．  変形例１
第１実施形態では、複数の貫通孔が孔部Ｈとして開けられた金属板が、弱音化された音源部材１０として採用される。しかしながら、音源部材１０において、孔部Ｈの形成手段および構成は任意である。例えば、金属製の網が弱音化された音源部材１０として採用されてもよい。以上の構成においては、金属製の網を構成する線材同士の間に存在する間隙が、孔部Ｈに相当する。また、１つの孔部Ｈを有する枠状（環状、ドーナツ状）の音源部材１０が採用されてもよい。
【００７０】
５−２．  変形例２
以上の実施形態では、音源部材１０は打撃されて振動する。しかしながら、外部からの任意の物理的作用に基づいて音源部材１０が振動してよい。例えば、人間の手指で擦って演奏されることにより（すなわち、擦奏されることにより）音源部材１０が振動してもよい。
【００７１】
５−３．  変形例３
以上の実施形態では、音響放射部材２０が音源部材１０に着脱可能に装着される。しかしながら、音響放射部材２０が、一度装着された後は脱離不可能であるように装着されてもよい。例えば、難剥離性の樹脂にて構成された音響放射部材２０が音源部材１０に装着されてもよい。
【００７２】
５−４．  変形例４
以上の実施形態では、シート状の不織布が音響放射部材２０として採用される。しかしながら、様々な素材が音響放射部材２０として採用されてもよい。例えば、シート状の樹脂が音響放射部材２０として採用され得る。また、塗料にて塗装された不織布が音響放射部材２０として採用されてもよい。
【００７３】
５−５．  変形例５
以上の実施形態では、平板状の音源部材１０の片側に音響放射部材２０が装着される。しかしながら、平板状の音源部材１０の両側に（すなわち、音源部材１０を挟み込むように）音響放射部材２０が装着されてもよい。
【００７４】
５−６．  変形例６
第２実施形態のシンバル１００に加え、様々な体鳴楽器を音源部材１０として採用することが可能である。シンバル１００（サスペンデッドシンバル）のような、スティックや、マレット、ビーター、ブラシ等での打奏によって振動する打楽器（例えば、カウベル、アゴゴ、銅鑼）が、音源部材１０として採用され得る。合わせシンバル（クラッシュシンバル）やクラベス等、楽器同士を相互に打撃させる打楽器も音源部材として採用され得る。マリンバや、シロフォン、ヴィブラフォン、グロッケンシュピール等、打撃されることにより特定のピッチの音が明確に出力される鍵盤打楽器も音源部材１０として採用され得る。ギロや、グラスハープ、ミュージカルソー等、擦奏される体鳴楽器も音源部材１０として採用され得る。
【符号の説明】
【００７５】
１０……音源部材、１００……シンバル、１１０……カップ部、１２０……ボウ部、１３０……エッジ部、２０……音響放射部材、３０……音響放射装置、Ａ……粘着層、ＡＨ１，ＡＨ２……取付孔、Ｂ……本体部、Ｈ……孔部、ＩＨ……設置孔、Ｍ……マグネットシート、Ｐ……端点、ＰＱ……線分、Ｑ……端点、Ｒ……リベット、Ｓａ，Ｓｂ……スナップボタン、ｒ１，ｒ２……半径。
【図１】
2015075608.tif 000003
【図２】
2015075608.tif 000004
【図３】
2015075608.tif 000005
【図４】
2015075608.tif 000006
【図５】
2015075608.tif 000007
【図６】
2015075608.tif 000008
【図７】
2015075608.tif 000009
【図８】
2015075608.tif 000010
【図９】
2015075608.tif 000011
【図１０】
2015075608.tif 000012
【図１１】
2015075608.tif 000013
【図１２】
2015075608.tif 000014
【図１３】
2015075608.tif 000015
【図１４】
2015075608.tif 000016
【図１５】
2015075608.tif 000017
【図１６】
2015075608.tif 000018
【図１７】
2015075608.tif 000019
【図１８】
2015075608.tif 000020
【図１９】
2015075608.tif 000021
【図２０】
2015075608.tif 000022
【図２１】
2015075608.tif 000023
【図２２】
2015075608.tif 000024
【図２３】
2015075608.tif 000025
【図２４】
2015075608.tif 000026